【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
着脱式バッテリパック（４０）によって駆動される動力工具（１０）用のアダプタ（７０、７０’’’、７０’’’’’、７０’’’’’’）であって、
前記動力工具にのみ着脱可能に接続する手段（９１−９４）と、
コントローラ（７２）と、
前記コントローラと通信する少なくとも一つのメモリ及び／又は記憶装置（７６）と、
前記アダプタのコントローラ（７２）から前記動力工具に位置するコントローラ（１２）に、及びその逆に、電気通信を伝送するように構成又は適合された少なくとも一つの通信ポート（７４）と、
を備え、
同じくコントローラ（４２）を備えるバッテリパック（４０）が前記動力工具（１０）に接続されたときに、前記バッテリパックのコントローラが前記動力工具のコントローラを介して前記アダプタのコントローラと通信するように、通信経路が確立されるように構成又は適合されているアダプタ（７０、７０’’’、７０’’’’’、７０’’’’’’）。
【請求項２】
前記バッテリパック（４０）及び／又は前記動力工具（１０）のメモリ（１６、４６）に格納された一つ又は複数の動作パラメータを変更するように構成又は適合されている、請求項１に記載のアダプタ（７０、７０’’’）。
【請求項３】
前記一つ又は複数の動作パラメータは、最大電流制限に関する値、前記バッテリパック（４０）の最大充電レベル、前記バッテリパック（４０）の充電速度、又は前記バッテリパック（４０）の温度閾値を含む、請求項２に記載のアダプタ（７０、７０’’’）。
【請求項４】
前記変更された動作パラメータに関する指令を外部装置（１００）から受け取るように構成又は適合されている、請求項２又は３に記載のアダプタ（７０）。
【請求項５】
前記バッテリパック（４０）及び／又は前記動力工具（１０）の動作状態を示す一つ又は複数の測定値を、前記外部装置（１００）に送信するようにさらに構成又は適合されている、請求項１から４のいずれか一項に記載のアダプタ（７０）。
【請求項６】
前記アダプタは外部装置（１００）と通信するように構成され、前記外部装置はスマートフォンである、請求項１から５のいずれか一項に記載のアダプタ（７０）。
【請求項７】
前記アダプタは外部装置（１００）と通信するように構成され、前記外部装置は、ＰＤＡ、タブレットコンピュータ、ラップトップコンピュータ、デスクトップコンピュータ、サーバ又はメインフレームコンピュータである、請求項１から６のいずれか一項に記載のアダプタ（７０）。
【請求項８】
前記動力工具（１０）及び／又は前記バッテリパック（４０）に関する情報を前記外部装置（１００）に無線通信する手段（７８、７９）をさらに備える、請求項６又は７に記載のアダプタ（７０）。
【請求項９】
前記外部装置（１００）と通信される情報は、前記バッテリパックの新たな最大電流制限又は最大充電レベルを示す値である、請求項６から８のいずれか一項に記載のアダプタ（７０）。
【請求項１０】
命令、データ、情報、動作パラメータ及び／又はユーザの選好を前記アダプタに直接入力するように構成又は適合された入力デバイス（８０）をさらに備える、請求項１から９のいずれか一項に記載のアダプタ（７０’’’）。
【請求項１１】
前記バッテリパック（４０）の残存バッテリ容量又は前記バッテリパック（４０）に位置するバッテリセル（５０）の放電電圧を測定するように構成又は適合されている、請求項１から１０のいずれか一項に記載のアダプタ（７０、７０’’’、７０’’’’’）。
【請求項１２】
前記測定された残存バッテリ容量に基づいて及び／又は前記バッテリセルの前記測定された放電電圧に基づいて実施可能な動力工具動作の残りの回数を推定するようにさらに構成又は適合されている、請求項１１に記載のアダプタ（７０、７０’’’）。
【請求項１３】
前記少なくとも一つのメモリ（７６）は、複数の動力工具の動作に対応付けて一組のエネルギー値を格納しており、前記コントローラ（７２）は、前記測定された残存バッテリ容量及び／又は前記バッテリセルの前記測定された放電電圧に基づいて、前記動力工具が実施可能な残りの動作回数を、前記測定された残存バッテリ容量を現在実施されている動力工具の動作に対応付けて格納されたエネルギー値で除算することによって、計算するように構成又は適合されている、請求項１２に記載のアダプタ（７０、７０’’’）。
【請求項１４】
前記アダプタ、前記動力工具（１０）又は前記バッテリパック（４０）のうちの少なくとも一つは、前記動力工具の動作の実行中における消費エネルギーを動的に測定するようにさらに構成又は適合されており、前記アダプタのコントローラ（７２）は、前記測定された残存バッテリ容量及び／又は前記バッテリセルの前記測定された放電電圧に基づいて、同じ類型の前記動力工具が実施可能な残りの動作回数を、前記測定された残存バッテリ容量を前記動力工具の動作中における消費エネルギーの測定量で除算することによって、計算するように構成又は適合されている、請求項１２又は１３に記載のアダプタ（７０、７０’’’）。
【請求項１５】
前記アダプタのコントローラ（７２）は、
複数の動力工具の動作に対して前記消費エネルギーの測定量を前記メモリ（７６）に格納し、
測定された残存バッテリ容量を、前記複数の動力工具の動作に対する消費エネルギーの測定量の代表値又は平均値によって除算することにより、前記動力工具の残り動作回数を計算する、
ように構成又は適合されている、請求項１４に記載のアダプタ（７０、７０’’’）。
【請求項１６】
動作中の前記動力工具（１０）の電気モータ（Ｍ）に供給される放電電流を動的に検出し、前記検出された放電電流を格納するように構成又は適合されている、請求項１から１５のいずれか一項に記載のアダプタ（７０、７０’’’、７０’’’’’）。
【請求項１７】
前記検出された放電電流を放電電流上限及び／又は放電電流下限と比較し、その比較結果を用いて、当該動力工具の動作を行うための異なる動力工具を提案するようにさらに構成又は適合されている、請求項１６に記載のアダプタ（７０、７０’’’、７０’’’’’）。
【請求項１８】
前記検出された放電電流及び／又は前記動力工具の提案を外部装置（１００）に送信するようにさらに構成又は適合されている、請求項１７に記載のアダプタ（７０）。
【請求項１９】
ディスプレイ（８０）をさらに備え、
前記ディスプレイ（８０）は、前記バッテリパック（４０）の最大電流制限又は最大充電レベルを視覚的に表示するように構成されている、請求項１から１８のいずれか一項に記載のアダプタ（７０’’’）。
【請求項２０】
請求項１から１９のいずれか一項に記載のアダプタ（７０、７０’’’、７０’’’’’、７０’’’’’’）と、
ハウジング（３２）及びバッテリパックインタフェース（３４）を有する動力工具（１０）と、
前記バッテリパックインタフェースに接続されたバッテリパック（４０）と、
を備え、
前記アダプタは、前記動力工具（１０）のみと物理的に係合し、前記バッテリパック（４０）は、前記アダプタと物理的に係合するいかなる手段も有さない、動力工具システム。
【請求項２１】
前記アダプタ（７０）と無線通信する外部装置（１００）をさらに備える、請求項２０に記載の動力工具システム。
【請求項２２】
請求項２０又は２１に記載の動力工具システムを動作させる方法であって、
前記アダプタ（７０、７０’’’、７０’’’’’）の前記少なくとも一つのコントローラ（７２）から前記動力工具（１０）の少なくとも一つのコントローラ（１２）に第１情報を電気的に通信するステップと、
前記第１情報を、前記動力工具の前記少なくとも一つのコントローラから前記バッテリパック（４０）の少なくとも一つのコントローラ（４２）に電気的に通信するステップと、
前記バッテリパックの少なくとも一つのメモリ（４６）に前記第１情報を格納するステップと、
を含む方法。